(57)【要約】【課題】  暗い環境でドアハンドルの視認性を向上させる。【解決手段】  透光性樹脂から成る導光板３２の一端に光源部３１が接合されている。光源部３１は透光性部材で形成されたケース３１１、ケース３１１に被せて接着剤で固定したフタ３１２、ケース３１１及びフタ３１２に収納された基板３１３、基板３１３に搭載された光源であるＬＥＤ３１４、ＬＥＤ３１４の電極と導通する配線パターンに半田付けされた一対のリード線３１５から構成されている。導光板３２の断面は略凸字形状を成し、上面には突条部３２ａが形成されており、底面には２本の導光壁３２ｃが形成されている。一対の導光壁３２ｃの間の底面は白色に塗装されるか、あるいはシボ加工などが施されて光を拡散する拡散部３２ｂを構成している。導光板３２の両側面は先端部近傍では傾斜しており、先端部近傍に届いた光を拡散部３２ｂへ向けて反射させるようにしてある。【選択図】      図２
2007186943.tif 000002
【特許請求の範囲】
【請求項１】
戸外に面して設置されるドアを開閉するためのドアハンドルに組み込まれて、ドア制御信号等に応じて点灯するようにしたドアハンドル照光ユニットにおいて、前記ドアハンドル照光ユニットは光源を収納する光源部と、長手方向の一端面に前記光源部が接合された導光板とから成り、この導光板の一部が前記ドアハンドルの表面に露出するように配設されたことを特徴とするドアハンドル照光ユニット。
【請求項２】
前記導光板の上面には長手方向に平行な突条部が形成されており、この突条部の表面が前記ドアハンドルの表面に露出していることを特徴とする請求項１記載のドアハンドル照光ユニット。
【請求項３】
前記導光板の底面には光を導くための長手方向に平行な導光壁が設けられていることを特徴とする請求項１記載のドアハンドル照光ユニット。
【請求項４】
前記導光板の底面には光を拡散するための拡散部を有することを特徴とする請求項１記載のドアハンドル照光ユニット。
【請求項５】
前記光源部は、光源である発光ダイオードと、この発光ダイオードが搭載された基板と、この基板を収納する透光性部材から成るケースと、このケースに被されるフタとから成るとともに、リード線が前記基板から前記導光板の下面側へ導出されていることを特徴とする請求項１記載のドアハンドル照光ユニット。
【発明の詳細な説明】
【技術分野】
【０００１】
本発明は、戸外に面して設置された自動車や住宅などのドアを開閉するドアハンドルを夜間に認識し易くする目的のためにドアハンドルに設置されるドアハンドル照光ユニットに関する。
【背景技術】
【０００２】
従来、例えば、暗い環境のもとで自動車に近づき乗車しようとした際にドアハンドルの視認性が悪く不便を感じていた。そして、現在発売されている自動車にはドアハンドルが光るものは存在しない。一方、自動車のドアハンドルを光らせる技術は既に出願されている（例えば、特許文献１参照。）。特許文献１にはドアハンドルモジュールがドア本体に固定されるベース部とこのベース部に連結されるハンドル部とベース部又はハンドル部に取り付けられた照明部とを含んでいること、そしてこの照明部はドア制御信号あるいは表示制御信号あるいは照明制御信号に応じて自動的に点灯するものであることが開示されている。また、この照明部は少なくとも１つの電球、発光ダイオード（ＬＥＤ）、又はエレクトロルミネッセンス（ＥＬ）発光体を含むことも記載されている。
【特許文献１】特開２００５−０４８５７８号公報（図３、段落番号００２２）
【発明の開示】
【発明が解決しようとする課題】
【０００３】
しかし、戸外に面して設置された自動車や住宅などのドアを開閉するドアハンドルにＬＥＤなどを配置して光らせようとした場合に、点光源になってしまうので光度を上げると目にまぶしく、光度を下げると視認性が落ち、またデザインとしても好まれない。また、面光源とするためにＬＥＤを複数個並べる方法もあるが、これではコストアップになってしまう。そこで、ドアハンドルに少ないＬＥＤを用いて如何に大きな面積を光らせるかが課題であった。また、ドアハンドルは過酷な環境条件の下で使用されるものであるから、それに見合った信頼性が求められている。
【０００４】
上記発明は、このような従来の問題を解決するためになされたものであり、その目的は、暗い環境でドアハンドルの視認性を向上させることができて信頼性の十分なドアハンドル照光ユニットを提供することである。
【課題を解決するための手段】
【０００５】
前記課題を解決するための本発明の手段は、戸外に面して設置されるドアを開閉するためのドアハンドルに組み込まれて、ドア制御信号等に応じて点灯するようにしたドアハンドル照光ユニットにおいて、前記ドアハンドル照光ユニットは光源を収納する光源部と、長手方向の一端面に前記光源部が接合された導光板とから成り、この導光板の一部が前記ドアハンドルの表面に露出するように配設されたことを特徴とする。
【０００６】
また、前記導光板の上面には長手方向に平行な突条部が形成されており、この突条部の表面が前記ドアハンドルの表面に露出していることを特徴とする。
【０００７】
また、前記導光板の底面には光を導くための長手方向に平行な導光壁が設けられている前記導光板の底面には光を導くための長手方向に平行な導光壁が設けられていることを特徴とする。
【０００８】
また、前記導光板の底面には光を拡散するための拡散部を有することを特徴とする。
【０００９】
また、前記光源部は、光源である発光ダイオードと、この発光ダイオードが搭載された基板と、この基板を収納する透光性部材から成るケースと、このケースに被されるフタとから成るとともに、リード線が前記基板から前記導光板の下面側へ導出されていることを特徴とする。
【発明の効果】
【００１０】
以上説明したように、本発明によれば、戸外に面して設置されるドアを開閉するためのドアハンドルに組み込まれて、ドア制御信号等に応じて点灯するようにしたドアハンドル照光ユニットにおいて、前記ドアハンドル照光ユニットは光源を収納する光源部と、長手方向の一端面に前記光源部が接合された導光板とから成り、この導光板の一部が前記ドアハンドルの表面に露出するように配設されているので、暗い環境でのドアハンドルの視認性を向上させることができ、十分な信頼性も得られる。
【発明を実施するための最良の形態】
【００１１】
以下、本発明の実施の形態を図面に基づいて詳細に説明する。図１は本発明の実施の形態であるドアハンドル照光ユニットを組み込んだドアハンドルの斜視図である。図２は本発明の実施の形態であるドアハンドル照光ユニットの平面図、図３はドアハンドル照光ユニットの正面図、図４は図１のＡ−Ａ矢視断面を示す断面図、図５は図１のＢ−Ｂ矢視断面を示す断面図、図６は図１のＣ−Ｃ矢視断面を示す断面図、図７はドアハンドル照光ユニットの下側を見た要部斜視図、図８はドアハンドル照光ユニットの光源部の分解斜視図である。
【００１２】
まず、本発明の実施の形態であるドアハンドル照光ユニットの構成について説明する。図１において、１は自動車のドアを、２はドア１に取り付けたドアハンドルを示している。２１はドア１の開閉を行うハンドル部を示している。３はハンドル部２１に組み込まれてドア制御信号等に応じて点灯するようにした本発明の実施の形態であるドアハンドル照光ユニットを示している。
【００１３】
次に、図２乃至図８により、ドアハンドル照光ユニット３の詳細を説明する。３２はハンドル部２１の意匠に合わせて長手方向に対して垂直方向にわずかに弓なりに反っている透光性樹脂から成る導光板を示している。３１は導光板３２の一端に接着剤で接合された光源部を示している。３１１は光源部３１を構成している透光性部材で形成されたケースを示している。３１２はケース３１１に被せて対向する面同士を接着剤で固定したフタを示している。３１３はケース３１１及びフタ３１２に収納された基板を示している。３１４は基板３１３に搭載された光源としてのＬＥＤを示している。３１５はＬＥＤ３１４の電極と導通する基板３１３の配線パターンに半田付けされた一対のリード線を示している。
【００１４】
導光板３２の断面は略凸字形状を成し、上面には突条部３２ａが形成されており、底面には光源部３１側から先端部へかけて底面からの高さが漸減するように長手方向に平行に形成された２本の溝部である導光壁３２ｃが形成されている。一対の導光壁３２ｃの間の底面は白色に塗装されるか、あるいはシボ加工などが施されて光を拡散する拡散部３２ｂを構成している。このような拡散部は底面のみならず、上面にも形成するとよい。導光板３２の両側面は先端部近傍では傾斜しており、先端部近傍に届いた光を拡散部３２ｂへ向けて反射させるようにしてある。
【００１５】
次に、図４乃至図６を参照して、ドアハンドル照光ユニット３の作用を説明する。人がキーを持ってドア１に近づくと、キーレスエントリーによる通信がキーとドア本体との間でなされて、ドア制御信号によりドア１本体は人が近づいたことを関知してドアハンドル照光ユニット３のＬＥＤ３１４を点灯させる。光源部３１を出た光は図４に示すように、導光板３２の中を導光線１４に示すように反射しながら長手方向に向かって導かれる。その際に、光源部３１近傍では、図５に示すように導光壁３２ｃの作用によって光が導光板３２の中を反射するので先端部へ導かれ易くなる。また、反射した光は突条部３２ａにも向かう。先端部においては、図６に示すように傾斜した両側面の作用によって光が突条部３２ａへ向かう。
【００１６】
次に、本発明の実施の形態であるドアハンドル照光ユニット３の効果について説明する。ドアハンドル２のハンドル部２１の外側表面に沿ってライン状に導光板３２の突条部３２ａを露出させてあるので、そこが明るく点灯することによって暗いときにもドアハンドル２の視認性が向上している。これによって災害時の避難誘導の機能を果たすこともできる。また、ドアハンドル２のハンドル部２１に光るラインが配されてドアハンドル２のデザインを向上させることができる。導光板３２に導光壁３２ｃを設けたのでラインの全長にわたって光が届き、また、拡散部３２ｂが設けてあるので光が拡散されて突条部３２ａから出射される光が均一になる。ケース３１１とフタ３１２とは接着剤により接合面が密閉されて組み立てられているので十分な防水性を有している。このようなドアハンドル照光ユニット３を組み込んだドアの付加価値が向上し、顧客の満足度の向上が図れる。
【００１７】
本発明のドアハンドル照光ユニットは、以上説明した実施の形態に限るものではなく、例えばケース３１１と導光板３２とが一体に形成されていてもよい。
【産業上の利用可能性】
【００１８】
本発明のドアハンドル照光ユニットは、自動車に限らず住宅などの戸外に面して設置されるドアを開閉するためのドアハンドル等に適用することができる。
【図面の簡単な説明】
【００１９】
【図１】本発明の実施の形態であるドアハンドル照光ユニットを組み込んだドアハンドルの斜視図である。
【図２】本発明の実施の形態であるドアハンドル照光ユニットの平面図である。
【図３】本発明の実施の形態であるドアハンドル照光ユニットの正面図である。
【図４】図１のＡ−Ａ矢視断面を示す断面図である。
【図５】図１のＢ−Ｂ矢視断面を示す断面図である。
【図６】図１のＣ−Ｃ矢視断面を示す断面図である。
【図７】本発明の実施の形態であるドアハンドル照光ユニットの下側を見た要部斜視図である。
【図８】本発明の実施の形態であるドアハンドル照光ユニットの光源部の分解斜視図である。
【符号の説明】
【００２０】
１  ドア
２  ドアハンドル
３  ドアハンドル照光ユニット
３１  光源部
３１１  ケース
３１２  フタ
３１３  基板
３１４  発光ダイオード
３１５  リード線
３２  導光板
３２ａ  突条部
３２ｂ  拡散部
３２ｃ  導光壁
【図１】
2007186943.tif 000003
【図２】
2007186943.tif 000004
【図３】
2007186943.tif 000005
【図４】
2007186943.tif 000006
【図５】
2007186943.tif 000007
【図６】
2007186943.tif 000008
【図７】
2007186943.tif 000009
【図８】
2007186943.tif 000010